(57)【特許請求の範囲】
【請求項１】
工具携行者の着衣類等に係合する身体側係合具と、工具類の一部に係合する工具側係合具とを連結コードにより結合し、
身体側係合具と連結コードとの間、および工具側係合具と連結コードの間にそれぞれ圧入固定式の縒り戻し具を備える工具落下防止用安全紐であって、
身体側係合具または工具側係合具の縒り戻し具連結側には、棒状の突出係合部を有し、該突出係合部の根元寄りにリング状の凹部を備えており、該突出係合部を縒り戻し具の開放口に圧入して身体側係合具または工具側係合具を軸廻りに回転自在に係合させるよう前記縒り戻し具に係止部材を備え、
前記係止部材は、突出係合部の外径より若干小さい内径部を有し、かつ突出係合部の圧入の際の押し込み力によって係止部材自体を拡開させるよう外径部から内径部にかけてスリット割溝を有して略Ｃリング状に形成され、
前記縒り戻し具は、若干末広がり略円筒状の筒形部が形成されており、筒形部大径側には身体側係合具または工具側係合具の組付けの際に、前記係止部材を縒り戻し具自体の周側面側から挿入可能とする側窓を備えて構成したことを特徴とする工具落下防止用安全紐。
【請求項２】
前記係止部材の内径部上縁側には、当該内径部に係合保持されている身体側係合具または工具側係合具における突出係合部の引き抜き力による係止部材自体の拡開を阻止すべく縒り戻し具の開放口内周側にて係架保持されたリング状の係止突起が設けられている請求項１記載の工具落下防止用安全紐。
【請求項３】
前記係止部材の対称位置には、縒り戻し具の外形状に合致すべく一対の補強リブ形状のフランジ部が延設されている請求項１記載の工具落下防止用安全紐。
【請求項４】
前記内径部に通じる係止突起の内周側には、突出係合部のコーナ部分が当接する面取り部分を設けてある請求項１記載の工具落下防止用安全紐。
【請求項５】
前記筒形部の小径側には連結コードを通過させる貫通孔を設けてある請求項１記載の工具落下防止用安全紐。
【発明の詳細な説明】
【０００１】
【発明の属する技術分野】
本発明は、腰に同時に多くの工具を取付けて作業する場合の作業性を考慮した工具携帯のための安全紐に関し、特に携帯時にこれら工具が脱落するのを未然に防止できるようにした工具落下防止用安全紐に関するものである。
【０００２】
【従来の技術】
従来、代表的な工具携帯用の安全紐としては、図７（ａ）に示すように、腰ベルト１０に取付けられたＤ字形金具２０に係合させることができる身体側係合具６１と、工具７０の一部に直接あるいは間接に係合させることができる工具側係合具６５と、例えばスパイラル状に保形された連結コード６３と、連結コード６３と身体側係合具６１の間を連結する身体側縒り戻し具６２と、連結コード６３と工具側係合具６５の間を結合する工具側縒り戻し具６４とから構成されている。これら身体側縒り戻し具６２、および工具側縒り戻し具６４は、工具７０を使用中あるいはその前後に生じた連結コード６３の縒りを戻すためのものである。なお、３０は、工具７０を保持するための革袋であり、７１は、工具携帯用の安全紐を係合し易くするために工具７０に取付けられている金具である。
【０００３】
連結コード６３は、多数の細いステンレス線を縒り合わし、十分な柔軟性と必要な引っ張り強度を備えるようにしてワイヤ芯とし、ワイヤ芯の廻りにウレタンゴム等の弾性材を覆って被覆部とすることにより螺旋部分を含む所要の形を保つようにしてある。この連結コード６３の端部を、身体側係合具６１または工具側係合具６５に結合する構造は、図７（ｂ）に示す如く、予めアルミニウム製または真鍮製のカシメ管８０を連結コード６３の端部に通してから、連結コード６３先端を身体側係合具６１または工具側係合具６５に設けたリング状の縒り戻し部（６２、６４）に通し折り返して再びカシメ管８０に挿入してから、図７（ｃ）に示す如く、当該カシメ管８０を圧縮することにより２本の連結コード６３を一緒にカシメて結合する。このときカシメ管８０はカシメた状態では手の中に握ると痛く、手を傷付ける虞れがあり、カシメ管８０の上に安全のため熱収縮チューブ８１で覆いを掛けた構成となっている。
【０００４】
【発明が解決しようとする課題】
しかしながらこのような従来提案の工具携帯用の安全紐では、製造の工程数が多くて、自動化し難く、しかもコストダウンが難しい。また、形状が嵩張り、カシメによる結合強度の管理も難しい。すなわち、カシメによる結合の結果、引っ張り破断強度が得られるものの、従来の構造によればウレタンゴム等の被覆材をカシメ管で圧縮変形させることで、変形抵抗による引っ張り荷重と、ワイヤ芯とウレタンゴムとの摩擦力の合計が引っ張り破断強度となる。ただ、ウレタンゴム等の弾性材と金属製のカシメ管との組み合わせでは、カシメの程度の管理が難しく、そのため安全を考慮して人力では破断できない程度の強度に仕上げるため長いカシメ管を使用している。本来、工具落下防止のためのこの種の安全紐は、命綱とは異なり、丈夫であれば良いというものではなく、工具７０が機械に巻き込まれたときや、車両等に引っ張られたとき等には作業者が自力で踏ん張り、安全紐を破断できる程度の結合強さが望ましいのであるが、従来の構造ではそれが難しく、結合強度は約７０〜９０ｋｇ程度になっていた。
【０００５】
そこで本発明は叙上のような従来存した諸事情に鑑み創出されたもので、縒り戻し具に連結コードを係合するための止め金具のカシメによる結合強度の管理が容易であり、しかも止め金具の材質の選択による調整が可能となり、また従来の如く連結コードの折り返し工程、２本の連結コードを挿入したカシメ管の圧縮工程、熱収縮チューブの挿入と加熱工程等の各工程が削除できて組み立てが容易でコストダウンとなり、さらに、縒り戻し部位の大きさが従来よりも小さくでき、握り易く、複数本使用しても腰廻りが整理でき、デザイン上もすっきりしたスマートな形状とすることができ、加えて、軸廻り回転が自由でありながらも身体側係合具または工具側係合具と、縒り戻し具との係合強度を強化することで縒り戻し具に対する身体側係合具または工具側係合具の引き抜き力による抜き外れを防止できるものとした工具落下防止用安全紐を提供することを目的とする。
【０００６】
【課題を解決するための手段】
上述した課題を達成するため、本発明にあっては、工具携行者の着衣類等に係合する身体側係合具１と、工具類の一部に係合する工具側係合具５とを連結コード３により結合して成る工具落下防止用安全紐において、身体側係合具１と連結コード３との間、および工具側係合具５と連結コード３の間にそれぞれ圧入固定式の縒り戻し具（２、４）を備えたものである。
身体側係合具１または工具側係合具５の縒り戻し具連結側には、棒状の突出係合部（１３、５３）を有し、該突出係合部（１３、５３）の根元寄りにリング状の凹部（１３ａ，５３ａ）を備えており、該突出係合部（１３，５３）を縒り戻し具（２，４）の開放口に圧入して身体側係合具１または工具側係合具５を軸廻りに回転自在に係合させるよう前記縒り戻し具（２，４）に係止部材（２２，４２）を備えた構成とすることができる。
前記係止部材（２２，４２）は、突出係合部（１３，５３）の外径より若干小さい内径部を有し、かつ突出係合部（１３，５３）の圧入の際の押し込み力によって係止部材（２２，４２）自体を拡開させるよう外径部から内径部にかけてスリット割溝（２２ａ，４２ａ）を有して略Ｃリング状に形成したものとすることができる。
前記係止部材（２２，４２）の内径部上縁側には、当該内径部に係合保持されている身体側係合具１または工具側係合具５における突出係合部（１３，５３）の引き抜き力による係止部材（２２，４２）自体の拡開を阻止すべく縒り戻し具（２，４）の開放口内周側にて係架保持されたリング状の係止突起（２２ｂ，４２ｂ）が設けられているものとすることができる。
前記係止部材（２２，４２）の対称位置には、縒り戻し具（２，４）の外形状に合致すべく一対の補強リブ形状のフランジ部（２２ｃ，４２ｃ）が延設されているものとすることができる。
前記内径部に通じる係止突起（２２ｂ，４２ｂ）の内周側には、突出係合部（１３，５３）のコーナ部分が当接する面取り部分（２２ｄ，４２ｄ）を設けてあるものとすることができる。
前記縒り戻し具（２，４）は、若干末広がりの略円筒状の筒形部（２１、４１）が形成されており、筒形部（２１、４１）大径側には身体側係合具１または工具側係合具５の組付けの際に、前記係止部材（２２，４２）を縒り戻し具（２，４）自体の周側面側から挿入可能とする側窓（２３，４３）を備え、筒形部（２１、４１）小径側には連結コード３を通過させる貫通孔（２４、４４）を設けてあるものとすることができる。
【０００７】
以上のように構成された本発明に係る工具落下防止用安全紐において、身体側係合具１または工具側係合具５の突出係合部（１３、５３）を縒り戻し具（２、４）の開放口に圧入させることで、一旦は突出係合部（１３、５３）がＣリング構造の係止部材（２２、４２）の内径部に突き当たって拡径方向に押し広げてから当該内径部をリング状の凹部（１３ａ，５３ａ）に落ち込ませることによって身体側係合具１または工具側係合具５を縒り戻し具（２、４）に対し軸廻りに回転自在に係合させる。
【０００８】
係止部材（２２，４２）の内径部上縁側に設けたリング状の係止突起（２２ｂ，４２ｂ）は、縒り戻し具（２，４）の開放口内周側にて係架保持され、当該内径部に係合保持されている身体側係合具１または工具側係合具５における突出係合部（１３，５３）の引き抜き力による係止部材（２２，４２）自体の拡開を縒り戻し具（２，４）の開放口内周の係合により阻止させる。
【０００９】
【発明の実施の形態】
以下図面を参照して本発明の１実施の形態を説明する。本発明の工具落下防止用安全紐は、図１に示すように、作業員の腰ベルト等の身体装具に係合させることができる身体側係合具１と、携行すべき工具の一部に直接あるいは間接に係合させることができる工具側係合具５と、連結コード３と、連結コード３と身体側係合具１の間を連結する身体側縒り戻し具２と、連結コード３と工具側係合具５の間を連結する工具側縒り戻し具４とから成っている。この両身体側縒り戻し具２，４は工具を使用中あるいはその前後に生じた連結コード３の縒りを戻すためのものである。両縒り戻し具（２、４）は、後述するように自体の開放口に身体側係合具１または工具側係合具５を強制的に圧入させることにより、身体側係合具１または工具側係合具５を軸廻りに回転自在に係合させるようワンタッチに装着できる圧入固定式構造となって形成されている。
【００１０】
身体側係合具１は、図７に示す腰ベルト１０に取付けられたＤ字形金具２０と同等の場所に係合するフック部１１とその根元１２から突き出た棒状の突出係合部１３からなり、突出係合部１３の根元には、先端部分より径の小さいリング状の凹部１３ａが設けられている。なお、１１ａは、取り付けられたＤ字形金具２０等からフック部１１が外れないための留め金具である。
【００１１】
工具側係合具５は、本実施の形態では身体側係合具１と全く同じ構造で、ただ身体側係合具１に比べ、フック部５１が身体側係合具５のフック部１１より使用する工具に応じて一回り小さくしてある。工具側係合具５は、フック部５１とその根元５２から突き出た棒状の突出係合部５３とからなり、突出係合部５３の根元には、先端部分より径の小さいリング状の凹部５３ａが設けられている。なお、５１ａは、工具類のどこかに一旦引っ掛けたフック部５１が外れないための留め金具である。
【００１２】
身体側縒り戻し具２および工具側縒り戻し具４は、図１に示すように、例えばポリアセタール樹脂等の合成樹脂製材の射出成形等により、若干末広がりの略円筒状の筒形部２１，４１となって形成されており、身体側縒り戻し具２は工具側縒り戻し具４よりも身体側係合具１に応じて若干大きくしてある。また、筒形部２１，４１大径側の左右対称位置には、身体側係合具１または工具側係合具５の組付けの際に、後述する係止部材２２，４２を縒り戻し具２，４自体の周側面側から挿入可能とする側窓２３，４３を備え、筒形部２１，４１小径側には連結コードを通過させる貫通孔２４，４４を設けてある。さらに、筒形部２１，４１の貫通孔２４，４４側寄りの内周面には、後述する止め金具３３を係止するためのリング状の段差部２５（工具側縒り戻し具４側には図示せず）が設けられている。なお、工具側縒り戻し具４は、本実施の形態では身体側縒り戻し具２と略同じ構造ではあるが、ただ身体側縒り戻し具２側に比べ、工具側係合具５の大きさに応じて一回り小さくしてある。また。身体側縒り戻し具２および工具側縒り戻し具４は、Ｃリング状のスペーサ部材２６，４６を介して身体側縒り戻し具２、工具側縒り戻し具４夫々の開放口に圧入されるものとしてある。
【００１３】
連結コード３は、多数の細いステンレス線を縒り合わし、十分な柔軟性と必要な引っ張り強度を備えるようにしてワイヤ芯３１とし、ワイヤ芯３１の廻りにウレタンゴム等の弾性材を覆って被覆部３２とすることにより螺旋部分を含む所要の形を保つようにしてある（図４参照）。
【００１４】
図２に示すように、身体側縒り戻し具２に挿入される係止部材２２は、突出係合部１３の外径より若干小さい内径部を有し、かつ突出係合部１３の圧入の際の押し込み力によって係止部材２２自体を径方向に拡開させるために外径部から内径部にかけて幅狭なスリット割溝２２ａを有する略Ｃリング形の板状に形成してある。また、前記係止部材２２の内径部上縁側には、当該内径部に係合保持されている身体側係合具１における突出係合部１３の引き抜き力による係止部材２２自体の拡開を阻止するためのリング状の係止突起２２ｂが設けられており、このリング状の係止突起２２ｂにより縒り戻し具２の開放口内周側を係架保持させた状態としてある。そして、係止部材２２の対称位置には、縒り戻し具２の外形状に合致すべく一対の補強リブ形状のフランジ部２２ｃを延設してある。さらに、前記内径部に通じる係止突起２２ｂの内周側には、身体側係合具１の圧入の際に突出係合部１３のコーナ部分が当接して係止部材２２の内径部にスムーズに嵌入させるためのリング状の面取り部分２２ｄを設けてある。
【００１５】
図３に示すように、工具側縒り戻し具４に挿入される係止部材４２は、身体側縒り戻し具２に挿入される係止部材２２と略同じ構造ではあるが、ただ身体側縒り戻し具２側の係止部材２２に比べ、工具側係合具５の突出係合部５３の大きさに応じて一回り小さくしてある。すなわち、係止部材４２は、突出係合部５３の外径より若干小さい内径部を有し、かつ突出係合部５３の圧入の際の押し込み力によって係止部材４２自体を径方向に拡開させるよう外径部から内径部にかけて幅狭なスリット割溝４２ａを有して略Ｃリング形の板状に形成してある。また、前記係止部材４２の内径部上縁側には、当該内径部に係合保持されている工具側係合具５における突出係合部５３の引き抜き力による係止部材４２自体の拡開を阻止するためのリング状の係止突起４２ｂが設けられており、このリング状の係止突起４２ｂにより縒り戻し具４の開放口内周側を係架保持させた状態としてある。そして、前記係止部材４２の対称位置には、縒り戻し具４の外形状に合致すべく一対の補強リブ形状のフランジ部４２ｃが延設されている。このとき、リング状の係止突起４２ｂから延設したフランジ部４２ｃの根元縁部側には夫々窪み部４２ｅを形成してある。さらに、前記内径部に通じる係止突起４２ｂの内周側には、工具側係合具５の圧入の際に突出係合部５３のコーナ部分が当接して係止部材４２の内径部にスムーズに嵌入させるためのリング状の面取り部分４２ｄを設けてある。
【００１６】
次に以上のように構成された実施の形態についての組み立て手順の１例を説明する。なお、以下に身体側縒り戻し具２に連結コード３と身体側係合具１を結合する場合について説明するが、工具側縒り戻し具４に連結コード３と工具側係合具５を結合する場合においても略同様なのでその説明を省略する。先ず身体側縒り戻し具２に連結コード３を係合するが、図４（ａ）に示すように、連結コード３の端部の被覆部３２を所要の長さだけ除去してワイヤ芯３１を露出させておく。そして図４（ｂ）に示すように、連結コード３を端部から、身体側縒り戻し具２の筒形部２１の貫通孔２４に通し、露出したワイヤ芯３１を筒状の止め金具３３の中心の孔３３ａに通す。その後、止め金具３３の外部から圧力Ｐ1 を加え、止め金具３３を連結コード３のワイヤ芯３１にカシメて固定する。これで連結コード３を図中の右方向に引っ張っても、図５に示す状態となり、身体側縒り戻し具２の内面の段差部２５に規制されて抜けることはない。
【００１７】
次に、身体側縒り戻し具２に身体側係合具１を圧入によって結合するが、先ず図５に示すように、身体側縒り戻し具２の筒形部２１の側窓２３に係止部材２２を挿入する。このとき、係止部材２２の内径側縁部に形成したリング状の係止突起２２ｂが身体側係合具１を圧入させる筒形部２１開放口側に向くようにして挿入する。そして、スペーサ部材２６を介して身体側係合具１のリング状の凹部１３ａを筒形部２１の開放口に圧入すれば、一旦は突出係合部１３がＣリング構造の係止部材２２の内径部における面取り部分２２ｄに突き当たって係止部材２２自体を拡径方向に押し広げてから当該内径部をリング状の凹部１３ａに落ち込ませることによって身体側係合具１を身体側縒り戻し具２に対し軸廻りに回転自在に係合させるものとなる。このとき、係止部材２２の内径部上縁側に設けたリング状の係止突起２２ｂは、身体側縒り戻し具２の開放口内周側にて係架保持された状態であり、当該内径部に係合保持されている身体側係合具１における突出係合部１３の引き抜き力による係止部材２２自体の拡開を縒り戻し具２の開放口内周の係合によって阻止させるものとなる。しかも、係止部材２２とリング状の凹部１３ａが軸廻りに回転自由に係合しているので連結コード３に捩れを生じても直ちに縒りを戻す働きをする。
【００１８】
以上、身体側縒り戻し具２に連結コード３と身体側係合具１を結合する場合について説明したが、工具側縒り戻し具４に連結コード３と工具側係合具５を結合する場合でも同様の手順で行ない、身体側係合具１、身体側縒り戻し具２、連結コード３、工具側縒り戻し具４、工具側係合具５を、この順序に連結し製品を完成させることができる。
【００１９】
【発明の効果】
本発明は以上のように構成されているために、縒り戻し具に連結コードを係合するための止め金具のカシメによる結合強度の管理が容易であり、しかも止め金具の材質の選択による調整が可能となり、また従来の如く連結コードの折り返し工程、２本の連結コードを挿入したカシメ管の圧縮工程、熱収縮チューブの挿入と加熱工程等の各工程が削除できて組み立てが容易でコストダウンとなり、さらに、縒り戻し部位の大きさが従来よりも小さくでき、握り易く、複数本使用しても腰廻りが整理でき、デザイン上もすっきりしたスマートな形状とすることができ、加えて、軸廻り回転が自由でありながらも身体側係合具または工具側係合具と、縒り戻し具との係合強度を強化することで縒り戻し具に対する身体側係合具または工具側係合具の引き抜き力による抜き外れを防止することができる。
【００２０】
すなわちこれは本発明が、工具携行者の着衣類等に係合する身体側係合具１と、工具類の一部に係合する工具側係合具５とを連結コード３により結合して成る工具落下防止用安全紐において、身体側係合具１と連結コード３との間、および工具側係合具５と連結コード３の間にそれぞれ圧入固定式の縒り戻し具（２、４）を備え、また、身体側係合具１または工具側係合具５の縒り戻し具連結側には、棒状の突出係合部（１３、５３）を有し、該突出係合部（１３、５３）の根元寄りにリング状の凹部（１３ａ，５３ａ）を備えており、該突出係合部（１３，５３）を縒り戻し具（２，４）の開放口に圧入して身体側係合具１または工具側係合具５を軸廻りに回転自在に係合させるよう前記縒り戻し具（２，４）に係止部材（２２，４２）を備えた構成とし、さらに、前記係止部材（２２，４２）は、突出係合部（１３，５３）の外径より若干小さい内径部を有し、かつ突出係合部（１３，５３）の圧入の際の押し込み力によって係止部材（２２，４２）自体を拡開させるよう外径部から内径部にかけてスリット割溝（２２ａ，４２ａ）を有して略Ｃリング状に形成したからである。
【００２１】
前記係止部材（２２，４２）の内径部上縁側には、当該内径部に係合保持されている身体側係合具１または工具側係合具５における突出係合部（１３，５３）の引き抜き力による係止部材（２２，４２）自体の拡開を阻止すべく縒り戻し具（２，４）の開放口内周側にて係架保持されたリング状の係止突起（２２ｂ，４２ｂ）が設けられているので、軸廻り回転が自由でありながらも身体側係合具１または工具側係合具５と、縒り戻し具（２，４）との係合強度を常に維持しておくことができ、身体側係合具１または工具側係合具５を確実かつ強固に保持しておくことができる。すなわち、縒り戻し具（２，４）に対する身体側係合具１または工具側係合具５に対し引き抜き力等の外力が働いても、縒り戻し具（２，４）の開放口内周側にて係止部材（２２，４２）のリング状の係止突起（２２ｂ，４２ｂ）が係架保持されているので係止部材（２２，４２）自体の拡開を阻止することができるからである。
【００２２】
前記係止部材（２２，４２）の対称位置には、縒り戻し具（２，４）の外形状に合致すべく一対の補強リブ形状のフランジ部（２２ｃ，４２ｃ）が延設されているので、係止部材（２２，４２）自体の補強度を高めることができるとともに、縒り戻し具（２，４）に対する自体の支持がしっかりしたものとなる。
【００２３】
前記内径部に通じる係止突起（２２ｂ，４２ｂ）の内周側には、突出係合部（１３，５３）のコーナ部分が当接する面取り部分（２２ｄ，４２ｄ）を設けてあるので、身体側係合具１または工具側係合具５の突出係合部（１３，５３）を縒り戻し具（２，４）に圧入する際にこれをスムーズに嵌入させることができる。
【００２４】
前記縒り戻し具（２，４）は、若干末広がりの略円筒状の筒形部（２１、４１）が形成されており、筒形部（２１、４１）大径側には身体側係合具１または工具側係合具５の組付けの際に、前記係止部材（２２，４２）を縒り戻し具（２，４）自体の周側面側から挿入可能とする側窓（２３，４３）を備え、筒形部（２１、４１）小径側には連結コード３を通過させる貫通孔（２４、４４）を設けてあるので、組み立てが容易でコストダウンとなり、さらに、縒り戻し部位の大きさが従来よりも小さくでき、握り易く、複数本使用しても腰廻りが整理でき、デザイン上もすっきりしたスマートな形状とすることができる。
【図面の簡単な説明】
【図１】本発明の１実施の形態における一部分解した概略を示す斜視図である。
【図２】身体側係合具における係止部材を示すもので、（ａ）は平面図、（ｂ）は（ａ）におけるＡ−Ａ断面図である。
【図３】工具側係合具における係止部材を示すもので、（ａ）は平面図、（ｂ）は（ａ）におけるＢ−Ｂ断面図である。
【図４】各部を組み立てる手順を示すもので、（ａ）は組み立て直前の断面図、（ｂ）は縒り戻し具と連結コードとを結合した状態を示す断面図である。
【図５】各部を組み立てる手順を示し、身体側係合具の突出係合部とスペーサ部材、および係止部材それぞれを縒り戻し具に挿入する状態の断面図である。
【図６】身体側係合具と縒り戻し具との結合状態を示す断面図である。
【図７】従来例を示すもので、（ａ）は工具携帯用の安全紐の使用状況例を示す斜視図、（ｂ）はカシメ管に通した連結コード先端を縒り戻し部に通し折り返して再びカシメ管に挿入する状態の斜視図、（ｃ）は折り返された２本の連結コードを一緒にカシメて結合し、カシメ管の上に熱収縮チューブで覆いを掛けた状態を示す斜視図である。
【符号の説明】
１  身体側係合具
２，４  縒り戻し具
３  連結コード
５  工具側係合具
１１，５１  フック部
１３，５３  突出係合部
１３ａ，５３ａ  リング状の凹部
２１，４１  筒形部
２２，４２  係止部材
２２ａ，４２ａ  スリット割溝
２２ｂ，４２ｂ  係止突起
２２ｃ，４２ｃ  フランジ部
２２ｄ，４２ｄ  面取り部分
３１  ワイヤ芯
３２  被覆部
【図１】
0003815974.tif 000002
【図２】
0003815974.tif 000003
【図３】
0003815974.tif 000004
【図４】
0003815974.tif 000005
【図５】
0003815974.tif 000006
【図６】
0003815974.tif 000007
【図７】
0003815974.tif 000008